(57)【要約】  湾曲管構造は、複数の第１湾曲駒２１ａが回動自在に連結して第１の長さＬ１を有する第１湾曲駒群３１と、第１湾曲駒群３１の基端側に連設して、複数の第２湾曲駒２１ｂが回動自在に連結して第２の長さＬ２を有する第２湾曲駒群３２と、を備え、第１湾曲駒２１ａよりも第２湾曲駒２１ｂの剛性を高くして、第１の長さＬ１を有する先端領域よりも第２の長さＬ２を有する基端領域の剛性を高くした。
2018116557.tif 000002
【特許請求の範囲】
【請求項１】
牽引部材の牽引弛緩によって能動的に湾曲し、複数の第１湾曲駒が回動自在に連結して第１の長さを有する第１湾曲駒群と、
前記牽引部材の牽引弛緩によって能動的に湾曲し、前記第１湾曲駒群の基端側に連設して、複数の第２湾曲駒が回動自在に連結して第２の長さを有する第２湾曲駒群と、
を備え、
前記第１湾曲駒よりも前記第２湾曲駒の剛性を高くして、前記第１の長さを有する先端領域よりも前記第２の長さを有する基端領域の剛性を高くしたことを特徴とする湾曲管構造。
【請求項２】
前記第１の長さと前記第２の長さが同等であることを特徴とする請求項１に記載の湾曲管構造。
【請求項３】
前記第２の長さは、内視鏡の挿入部に設けられる湾曲部の全長の半分の長さであることを特徴とする請求項１に記載の湾曲管構造。
【請求項４】
前記第１湾曲駒の肉厚よりも前記第２湾曲駒の肉厚を２倍以上にしたことを特徴とする請求項１に記載の湾曲管構造。
【請求項５】
前記第１湾曲駒に形成された回動自在に連結する第１連結部よりも前記第２湾曲駒に形成された回動自在に連結する第２連結部の面積を大きくしたことを特徴とする請求項１に記載の湾曲管構造。
【請求項６】
前記第１湾曲駒に形成された回動自在に連結する第１連結部よりも前記第２湾曲駒に形成された回動自在に連結する第２連結部の厚さを大きくしたことを特徴とする請求項１に記載の湾曲管構造。
【請求項７】
前記第１湾曲駒よりも硬度が２倍以上高い高硬度金属または超高度合金によって前記第２湾曲駒を形成したことを特徴とする請求項１に記載の湾曲管構造。
【請求項８】
請求項１に記載の湾曲管構造を挿入部の湾曲部に配設したことを特徴とする内視鏡。
【発明の詳細な説明】
【技術分野】
【０００１】
本発明は、被検体内に挿入される細長な挿入部に設けられる能動的に湾曲する湾曲管構造および内視鏡に関する。
【背景技術】
【０００２】
近年、被検体内に挿入される挿入機器、例えば内視鏡は、医療分野及び工業用分野において広く利用されている。医療分野において用いられる内視鏡は、細長い挿入部を被検体となる体腔内に挿入することによって、体腔内の臓器を観察したり、必要に応じて内視鏡が具備する処置具の挿通チャンネル内に挿入した処置具を用いて各種処置をしたりすることができる。また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等の検査を行うことができる。【０００３】
この内視鏡の挿入部には、複数方向に湾曲自在な湾曲部が設けられた構成が周知である。湾曲部は、管路内の屈曲部における挿入部の進行性を向上させる他、挿入部において、湾曲部よりも挿入部の長手軸方向の先端側（以下、単に先端側と称す）に位置する先端部に設けられた観察光学系の観察方向を可変させる。【０００４】
通常、内視鏡の挿入部に設けられた湾曲部は、複数の湾曲駒が挿入部の長手軸方向に沿ってリベットなどで連結されることにより、例えば上下および左右の全方向（４方向）に湾曲自在となるよう構成されている。【０００５】
このような湾曲部は、例えば、日本国特開２００８−１５４８０９号公報に開示されるように、湾曲駒の内、最も先端側に位置する湾曲駒に先端が固定された挿入部内に挿通された挿入方向の前後に進退自在な複数のワイヤ（湾曲操作ワイヤ）の何れかが操作部から牽引操作されることにより、上下または左右の何れかの方向に湾曲自在となっている。【０００６】
ところで、内視鏡の湾曲部は、ワイヤの牽引により基端側から湾曲動作する。そのため、先端側の湾曲駒に比べて基端側の湾曲駒にワイヤの牽引力が大きくかかり、基端側の湾曲駒のほうが湾曲操作時に大きな荷重が生じる。【０００７】
そのため、呼吸器などに用いられる挿入部が細径の気管支用内視鏡などでは、湾曲部も細径であり、基端側の湾曲駒が歪んでしまうと、先端側の湾曲駒にワイヤの牽引力量が伝達されず、所望の湾曲角度まで湾曲部を湾曲させることができない場合がある。【０００８】
その結果、湾曲部を湾曲操作するワイヤの牽引力量が大きくなってしまいユーザに負担を与えるだけでなく、無理にワイヤを牽引操作することで基端側の湾曲駒に損傷を与えてしまう可能性があった。【０００９】
さらに、湾曲部を湾曲させるワイヤの牽引量を稼ぐには、操作部内のスプロケットなどによる牽引機構を大型化すれば解決できるが、操作部も大型化してしまうという問題が生じる。【００１０】
そこで、本発明は、上記事情に鑑みてなされたもので、湾曲駒の損傷を防止すると共に、操作部を大きくすることなく、挿入部の湾曲部を湾曲操作するワイヤの牽引力量を低減して所望の湾曲操作を容易に行えるようにして、ユーザの負担を軽減できる湾曲管構造および内視鏡を提供することを目的としている。
【発明の開示】
【課題を解決するための手段】
【００１１】
本発明の一態様による湾曲管構造は、牽引部材の牽引弛緩によって能動的に湾曲し、複数の第１湾曲駒が回動自在に連結して第１の長さを有する第１湾曲駒群と、前記牽引部材の牽引弛緩によって能動的に湾曲し、前記第１湾曲駒群の基端側に連設して、複数の第２湾曲駒が回動自在に連結して第２の長さを有する第２湾曲駒群と、を備え、前記第１湾曲駒よりも前記第２湾曲駒の剛性を高くして、前記第１の長さを有する先端領域よりも前記第２の長さを有する基端領域の剛性を高くした。【００１２】
本発明の一態様による内視鏡は、牽引部材の牽引弛緩によって能動的に湾曲し、複数の第１湾曲駒が回動自在に連結して第１の長さを有する第１湾曲駒群と、前記牽引部材の牽引弛緩によって能動的に湾曲し、前記第１湾曲駒群の基端側に連設して、複数の第２湾曲駒が回動自在に連結して第２の長さを有する第２湾曲駒群と、を備え、前記第１湾曲駒よりも前記第２湾曲駒の剛性を高くして、前記第１の長さを有する先端領域よりも前記第２の長さを有する基端領域の剛性を高くした湾曲管構造を挿入部の湾曲部に配設した。
【図面の簡単な説明】
【００１３】
【図１】本発明の一態様の湾曲管構造を備えた内視鏡の全体図
【図２】同上、内視鏡挿入部の要部断面図
【図３】同上、第１の形態の第１湾曲駒の構成を示す平面図
【図４】同上、第１の形態の第２湾曲駒の構成を示す平面図
【図５】同上、第２の形態の第１湾曲駒の構成を示す断面図
【図６】同上、第２の形態の第２湾曲駒の構成を示す断面図
【発明を実施するための最良の形態】
【００１４】
以下、図面を参照して本発明の実施の形態を説明する。本発明は、内視鏡をはじめとして、ガイドチューブ、各種処置具、マニュピレータなどの被検体内に挿入される挿入部を有する挿入機器に適用されるものであるが、以下に説明する実施形態においては、挿入機器としての内視鏡を例に挙げて説明する。【００１５】
また、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。また、以下の説明においては、図の紙面に向かって見た上下方向を構成要素の上部および下部として説明している場合がある。【００１６】
図１は、湾曲管構造を備えた内視鏡の全体図、図２は内視鏡挿入部の要部断面図、図３は第１の形態の第１湾曲駒の構成を示す平面図、図４は第１の形態の第２湾曲駒の構成を示す平面図、図５は第２の形態の第１湾曲駒の構成を示す断面図、図６は第２の形態の第２湾曲駒の構成を示す断面図である。【００１７】
先ず、本発明の一態様の湾曲管構造を備えた内視鏡について、以下に説明する。  
図１に示す、内視鏡１は、細長管状に形成されて体腔内等の被検体内に挿入される挿入部２と、挿入部２の基端側に連設された操作部３と、操作部３の側部から延出されるユニバーサルコード４と、ユニバーサルコード４の先端側に配設されたコネクタ５とを主要構成として備えている。【００１８】
この内視鏡１は、ユニバーサルコード４先端のコネクタ５を介して、周知の各種装置、例えば、信号処理装置（ビデオプロセッサ）、光源装置、送気送水装置、その他の周辺装置に接続され、内視鏡１と、この内視鏡１に接続される各種装置群により、内視鏡システムが形成される。【００１９】
内視鏡１の挿入部２は、先端側から順に、先端部６と、この先端部６の基端側に連設された能動的に湾曲自在な湾曲部７と、この湾曲部７の基端側に連設された長尺の可撓管部８とにより構成され、長手軸方向に沿って細長に形成されている。【００２０】
なお、ここでの湾曲部７は、後述するように、挿入部２内に配設された湾曲操作ワイヤの牽引弛緩によって能動的に湾曲する。また、可撓管部８は、湾曲部７から操作部３に至るまでの間に設けられ、受動的に可撓可能となるように柔軟性を持たせて形成される細径且つ長尺形状の管状部材によって形成されている。【００２１】
操作部３は、可撓管部８の基端を覆って可撓管部８と接続される折れ止め部３ａと、この折れ止め部３ａに連設され、使用者が内視鏡１を使用するときに手によって把持する把持部３ｂとを有している。【００２２】
把持部３ｂの上端側には、各種の操作部材が配設され、把持部３ｂの下端側に位置して折れ止め部３ａの上部となる部位には、鉗子などの処置具を体腔内に導くための処置具挿通口９などが設けられている。【００２３】
操作部３に設けられる操作部材としては、上述の湾曲部７の湾曲操作を行う湾曲操作ノブ１０がある。湾曲部７は、この湾曲操作ノブ１０への操作入力により、挿入部２内に全長に渡って挿通される湾曲操作用の牽引部材である湾曲操作ワイヤ（以下、単にワイヤと略記する）４０（図２参照）が牽引弛緩し、このワイヤ４０の牽引弛緩により、例えば上下および左右の４方向（全周方向）に能動的に湾曲自在となっている。【００２４】
また、湾曲操作ノブ１０には、湾曲部７の湾曲状態を固定する湾曲固定レバー１１が連設されている。さらに、操作部３に設けられる操作部材として、送気送水操作または吸引操作、撮像、照明などの対応した操作を行うための複数の操作スイッチなどが設けられている。【００２５】
ユニバーサルコード４は、挿入部２の先端から湾曲部７および可撓管部８の内部を挿通して操作部３に至り、さらに操作部３から延出する各種信号線などを内部に挿通する。【００２６】
このユニバーサルコード４には、光源装置（図示せず）の照明光伝送用のライトガイドを挿通し、さらに送気送水装置（図示せず）から延出される送気送水用チューブが配設された複合ケーブルである。【００２７】
このユニバーサルコード４の先端側に配設されるコネクタ５には、図示しない各種口金、各種電気接点などが設けられており、図示しない接続ケーブルを介して各種装置が接続される。【００２８】
次に、挿入部２の先端側の内部構成について、湾曲部７の構成を主として説明する。  
挿入部２先端の先端部６は、硬質の部材で形成され、内部に被検体内を照明するための図示しない照明光学系、撮像ユニットにおける対物光学系などが配設されると共に、被検体内の被検部位に向けて流体を供給する図示しない送気送水チャンネル、鉗子などの処置具が導出される処置具挿通チャンネルなどが先端面に開口されている。【００２９】
この硬質の先端部６の後端側には、図２に示すように、第１湾曲部２０内で長手軸方向に沿って連結される複数の湾曲駒２１の最先端側の円筒状の先端駒２２が固定されている。【００３０】
湾曲部７内の複数の湾曲駒２１は、上下および左右に対応する位置で隣接する湾曲駒２１の後述する連結部同士が重なった部位を枢支部材であるリベット２３によって回動自在に連結することにより、上下および左右の互いに直交する４方向に湾曲自在な湾曲構造を形成している。なお、リベット２３は、外形側への突出を防ぐため、フランジ状の頭部が湾曲駒２１の内径側に露呈されている。【００３１】
この湾曲管構造を形成する複数の湾曲駒２１の最先端に連結される先端駒２２には、ワイヤ４０の先端側の一端を取り付け固定するワイヤ固定部２２ａが設けられている。本実施形態においては、ワイヤ固定部２２ａは、上下および左右の４方向の湾曲動作用の４本のワイヤ４０に対応して先端駒２２内周側の４カ所に設けられている。【００３２】
ワイヤ固定部２２ａに先端が固定された各ワイヤ４０は、複数の湾曲駒２１の内周側にそれぞれ設けられた環状のガイドリング２４内を挿通され、ワイヤ末端が操作部３の湾曲操作ノブ１０に連結されたスプロケット（図示せず）に巻回されている。【００３３】
これにより、湾曲操作ノブ１０によって４本のワイヤ４０の何れかが牽引操作されると、湾曲部７が上下及び左右の何れかの方向に湾曲動作する。【００３４】
即ち、湾曲部７は、複数の湾曲駒２１を長手軸方向に連結することにより、湾曲構造が形成され、上下および左右の互いに直交する４方向に、操作部３からの各ワイヤ４０による牽引操作入力によって能動的に湾曲する。【００３５】
なお、複数の湾曲駒２１は、後端側（可撓管部８の先端側）に連設された筒状の接続部材としての接続口金２５と接続されている。また、接続口金２５には、４本のワイヤ４０のそれぞれが進退自在に挿通されるワイヤガイド部材としての４本のガイドシース４５の先端部がロウ付けなどで固定されている。【００３６】
ガイドシース４５は、例えば、ステンレス鋼線を密着巻きする等して形成される柔軟なコイルパイプとして形成され、挿入部２の可撓管部８の内周側に挿通されている。【００３７】
一方、複数の湾曲駒２１の外周には、金属または非金属の細線材を編組して形成される網状のブレード１５が被覆されている。さらに、ブレード１５の外周には、湾曲ゴム１７が被覆され、この湾曲ゴム１７により、先端部６から湾曲部７にかけての外皮が形成されている。【００３８】
尚、複数の湾曲駒２１および接続口金２５は、それぞれの中心が挿入部２の中心軸Ｘに一致するように配置されている。また、湾曲ゴム１７は、先端部６の外周には水密に接着固定されているが、その他の挿入方向に沿った部位は、複数の湾曲駒２１の外周に対して非接着にて被覆されている。【００３９】
ここで、湾曲部７の長手方向である中心軸Ｘに沿った先端側および基端側の前後おいて、湾曲管構造としての複数の湾曲駒２１の構成の違いについて、以下に詳しく説明する。【００４０】
ここでの複数の湾曲駒２１は、湾曲部７における先端側に設けられる第１湾曲駒群３１と、湾曲部７における基端側に設けられる第２湾曲駒群３２と、に区分けされている。【００４１】
そして、本実施の形態の湾曲管構造は、第１湾曲駒群３１よりも第２湾曲駒群３２の剛性を高く設定することで、湾曲部７を湾曲操作するワイヤ４０の牽引力量を低減した構成としている。【００４２】
なお、剛性を高くする第２湾曲駒群３２の範囲は、例えば、湾曲部７内に設けられる先端領域である第１湾曲駒群３１の長さＬ１と基端領域である第２湾曲駒群３２の長さＬ２が同等（Ｌ１≒Ｌ２）、もしくは第２湾曲駒群３２の長さＬ２を湾曲部７の全長Ｌ３の半分程度（Ｌ２≒Ｌ３÷２）としている。【００４３】
次に、基端側に配設される第２湾曲群３２の剛性を先端側に配設される第１湾曲群３１よりも高くする種々の構成について、以下に例示する。【００４４】
なお、以下の説明においては、湾曲部７に設けられる複数の湾曲駒２１に関し、先端側の第１湾曲駒群３１に含まれるものを第１湾曲駒２１ａとし、基端側の第２湾曲駒群３２に含まれるものを第２湾曲駒２１ｂとして説明する。【００４５】
（第１の形態）
図３および図４に示すように、例えば、第１湾曲駒群３１の各第１湾曲駒２１ａの肉厚ｄ１に対して、第２湾曲駒群３２の各第２湾曲駒２１ｂの肉厚ｄ２を厚くして、第１湾曲駒２１ａよりも第２湾曲駒２１ｂの剛性を高くして第２湾曲駒２１ｂの歪みを防止することができる。【００４６】
各第２湾曲駒２１ｂの肉厚ｄ２は、各第１湾曲駒２１ａの肉厚ｄ１に対して２倍程度（ｄ２≒２×ｄ１）または２倍以上（ｄ２≧２×ｄ１）とし、例えば、肉厚ｄ１を０．１５ｍｍ（ｄ１＝０．１５ｍｍ）とした場合、肉厚ｄ２を０．３０ｍｍ（ｄ２＝０．３０ｍｍ）以上に設定する。【００４７】
これにより、第１湾曲駒群３１の剛性よりも第２湾曲駒群３２の剛性を高くすることができる。なお、第１湾曲駒２１ａは、従来構成と同様な肉厚ｄ１でよい。【００４８】
（第２の形態）
図５および図６に示すように、例えば、第１湾曲駒群３１の各第１湾曲駒２１ａの第１連結部２７ａの形状よりも、第２湾曲駒群３２の各第２湾曲駒２１ｂの第２連結部２７ａの形状を大きくして、第１湾曲駒２１ａよりも第２湾曲駒２１ｂの剛性を高くして第２湾曲駒２１ｂの歪みを防止することができる。【００４９】
即ち、第１湾曲駒２１ａの第１連結部２７ａのリベット２３が挿通する孔部から外縁の裾部までの距離である幅ｗ１よりも、第２湾曲駒２１ｂの第２連結部２７ａのリベット２３が挿通する孔部から外縁の裾部までの距離である幅ｗ２を大きくした所謂裾広の山型形状として孔部の径方向の面積を大きくして、第１湾曲駒２１ａよりも第２湾曲駒２１ｂの剛性を高くしている。【００５０】
なお、第２湾曲駒２１ｂの第２連結部２７ａの形状は、山型形状に限らず、各第２湾曲駒２１ｂの回動動作が妨げられなければ、矩形状、多角形状、曲線形状など、種々の形状を適用することができる。また、ここでも第１湾曲駒２１ａは、従来構成と同様な第１連結部２７ａの形状でよい。【００５１】
さらに、第２湾曲駒２１ｂは、第２連結部２７ａが従来構成と同様な形状として、第２連結部２７ａの厚さを大きくして第１湾曲駒２１ａよりも剛性を高くすることもできる。【００５２】
（第３の形態）
また、特に図示しないが、第１湾曲駒群３１の各第１湾曲駒２１ａを従来通りのステンレスなどから形成し、第２湾曲駒群３２の各第２湾曲駒２１ｂをチタン、タングステンなどの高硬度金属または超硬合金から形成することで、第１湾曲駒２１ａよりも第２湾曲駒２１ｂの剛性を高くして第２湾曲駒２１ｂの歪みを防止することができる。なお、第２湾曲駒２１ｂは、第１湾曲駒２１ａよりも２倍程度の硬度にすればよい。【００５３】
湾曲部７内に配設される湾曲構造は、以上に記載したような各形態とする第１湾曲駒群３１および第２湾曲駒群３２とすることで、基端側の第２湾曲駒群３２の各第２湾曲駒２１ｂの歪みを防止することで、先端側の第１湾曲駒群３１の各第１湾曲駒２１ａに湾曲操作時のワイヤ４０の牽引力が無駄なく伝えることができる。【００５４】
これにより、ワイヤ４０による牽引力量に無駄なロスが生じず、湾曲部７を湾曲操作するための湾曲力量の低減につながる。【００５５】
以上の説明により、本実施の形態の内視鏡１は、挿入部２の湾曲部７を湾曲操作する際に、湾曲部７内の基端側に設けられる第２湾曲駒群３２に大きな荷重が生じても、各第２湾曲駒２１ｂが歪まず、ワイヤ４０の牽引力量が湾曲部７内の先端側に設けられる第１湾曲駒群３１の各第１湾曲駒２１ａを無駄なく牽引して湾曲操作を行うことができる。【００５６】
特に、呼吸器などに用いられる挿入部２が細径の気管支などの呼吸器内に挿入される内視鏡１でも、ユーザの所望の湾曲角度まで湾曲部７をスムーズに湾曲させることができ、従来構成に比してユーザに負担を与えることを抑制することができる。【００５７】
さらに、ここでの内視鏡１は、無理にワイヤ４０を牽引操作する必要がないため、湾曲部７内に設けられた各湾曲駒２１に損傷を与えてしまうこともない。そして、湾曲部７を湾曲させるワイヤ４０の牽引量を稼ぐために、操作部３内に設けられるワイヤ牽引機構であるスプロケットなどを大型化する必要もなくなり、操作部３の大型化も防止することができる。【００５８】
以上により、本実施の形態の湾曲管構造および、この湾曲構造が湾曲部７に設けられる内視鏡１は、湾曲駒２１の損傷を防止すると共に、操作部３を大きくすることなく、挿入部２の湾曲部７を湾曲操作するワイヤ４０の牽引力量を低減して所望の湾曲操作を容易に行えるようにして、ユーザの負担を軽減できる。【００５９】
以上の実施の形態に記載した発明は、それらの形態に限ることなく、その他、実施段階ではその要旨を逸脱しない範囲で種々の変形を実施し得ることが可能である。さらに、上記各形態には、種々の段階の発明が含まれており、開示される複数の構成要件における適宜な組合せにより種々の発明が抽出され得るものである。【００６０】
例えば、各形態に示される全構成要件から幾つかの構成要件が削除されても、述べられている課題が解決でき、述べられている効果が得られる場合には、この構成要件が削除された構成が発明として抽出され得るものである。【００６１】
本発明によれば、湾曲駒の損傷を防止すると共に、操作部を大きくすることなく、挿入部の湾曲部を湾曲操作するワイヤの牽引力量を低減して所望の湾曲操作を容易に行えるようにして、ユーザの負担を軽減できる湾曲管構造および内視鏡を提供することができる。【００６２】
本出願は、２０１６年１２月２０日に日本国に出願された特願２０１６−２４７０３２号を優先権主張の基礎として出願するものであり、上記の開示内容は、本願明細書、請求の範囲に引用されるものとする。
【図１】
2018116557.tif 000003
【図２】
2018116557.tif 000004
【図３】
2018116557.tif 000005
【図４】
2018116557.tif 000006
【図５】
2018116557.tif 000007
【図６】
2018116557.tif 000008
【手続補正書】
【提出日】平成30年7月3日(2018.7.3)
【手続補正１】
【補正対象書類名】明細書
【補正対象項目名】００１１
【補正方法】変更
【補正の内容】
【００１１】
本発明の一態様による湾曲管構造は、第１の肉厚の管状部材によって形成され、長手軸の方向に突設されるとともに回動自在に連結される第１連結部を有する第１湾曲駒と、複数の前記第１湾曲駒の前記第１連結部同士が連結部材により回動自在に連結され、牽引部材の牽引弛緩によって能動的に湾曲し、前記長手軸の方向に第１の長さを有し、牽引部材の牽引弛緩によって能動的に湾曲する第１湾曲駒群と、第２の肉厚の管状部材によって形成され、前記長手軸の方向に突設されるとともに回動自在に連結される第２連結部を有する第２湾曲駒と、複数の前記第２湾曲駒の前記第２連結部同士が前記連結部材により回動自在に連結され、前記第１湾曲駒群の基端側に連設され、前記長手軸の方向に第２の長さを有し、前記牽引部材の牽引弛緩によって能動的に湾曲する第２湾曲駒群と、を備え、前記第２連結部の形状を前記第１連結部の形状よりも大きく形成して前記第１湾曲駒よりも前記第２湾曲駒の剛性を高くした。
本発明の他の態様による湾曲管構造は、長手軸の方向に突設されるとともに回動自在に連結される第１連結部を有する第１湾曲駒と、複数の前記第１湾曲駒の前記第１連結部同士がリベットにより回動自在に連結され、牽引部材の牽引弛緩によって能動的に湾曲し、前記長手軸の方向に第１の長さを有し、前記牽引部材の牽引弛緩によって能動的に湾曲する第１湾曲駒群と、前記長手軸の方向に突設されるとともに回動自在に連結される第２連結部を有する第２湾曲駒と、複数の前記第２湾曲駒の前記第２連結部同士が前記リベットにより回動自在に連結され、前記第１湾曲駒群の基端側に連設され、前記長手軸の方向に第２の長さを有し、前記牽引部材の牽引弛緩によって能動的に湾曲する第２湾曲駒群と、
を備え、前記第１湾曲駒よりも硬度が２倍以上高い高硬度金属または超高度合金によって前記第２湾曲駒を形成した。
【手続補正２】
【補正対象書類名】明細書
【補正対象項目名】００１２
【補正方法】変更
【補正の内容】
【００１２】
本発明の一態様による内視鏡は、第１の肉厚の管状部材によって形成され、長手軸の方向に突設されるとともに回動自在に連結される第１連結部を有する第１湾曲駒と、複数の前記第１湾曲駒の前記第１連結部同士が連結部材により回動自在に連結され、牽引部材の牽引弛緩によって能動的に湾曲し、前記長手軸の方向に第１の長さを有し、牽引部材の牽引弛緩によって能動的に湾曲する第１湾曲駒群と、第２の肉厚の管状部材によって形成され、前記長手軸の方向に突設されるとともに回動自在に連結される第２連結部を有する第２湾曲駒と、複数の前記第２湾曲駒の前記第２連結部同士が前記連結部材により回動自在に連結され、前記第１湾曲駒群の基端側に連設され、前記長手軸の方向に第２の長さを有し、前記牽引部材の牽引弛緩によって能動的に湾曲する第２湾曲駒群と、を備え、前記第２連結部の形状を前記第１連結部の形状よりも大きく形成して前記第１湾曲駒よりも前記第２湾曲駒の剛性を高くした湾曲管構造を挿入部の湾曲部に配設した。
本発明の他の態様による内視鏡は、長手軸の方向に突設されるとともに回動自在に連結される第１連結部を有する第1湾曲駒と、複数の前記第１湾曲駒の前記第１連結部同士がリベットにより回動自在に連結され、牽引部材の牽引弛緩によって能動的に湾曲し、前記長手軸の方向に第１の長さを有し、牽引部材の牽引弛緩によって能動的に湾曲する第１湾曲駒群と、前記長手軸の方向に突設されるとともに回動自在に連結される第２連結部を有する第２湾曲駒と、複数の前記第２湾曲駒の前記第２連結部同士が前記リベットにより回動自在に連結され、前記第１湾曲駒群の基端側に連設され、前記長手軸の方向に第２の長さを有し、牽引部材の牽引弛緩によって能動的に湾曲する第２湾曲駒群と、を備え、前記第１湾曲駒よりも硬度が２倍以上高い高硬度金属または超高度合金によって前記第２湾曲駒を形成した。
【手続補正３】
【補正対象書類名】特許請求の範囲
【補正対象項目名】全文
【補正方法】変更
【補正の内容】
【特許請求の範囲】
【請求項１】
第１の肉厚の管状部材によって形成され、長手軸の方向に突設されるとともに回動自在に連結される第１連結部を有する第１湾曲駒と、
複数の前記第１湾曲駒の前記第１連結部同士が連結部材により回動自在に連結され、牽引部材の牽引弛緩によって能動的に湾曲し、前記長手軸の方向に第１の長さを有し、前記牽引部材の牽引弛緩によって能動的に湾曲する第１湾曲駒群と、
第２の肉厚の管状部材によって形成され、前記長手軸の方向に突設されるとともに回動自在に連結される第２連結部を有する第２湾曲駒と、
複数の前記第２湾曲駒の前記第２連結部同士が前記連結部材により回動自在に連結され、前記第１湾曲駒群の基端側に連設され、前記長手軸の方向に第２の長さを有し、前記牽引部材の牽引弛緩によって能動的に湾曲する第２湾曲駒群と、
を備え、
前記第２連結部の形状を前記第１連結部の形状よりも大きく形成して前記第１湾曲駒よりも前記第２湾曲駒の剛性を高くしたことを特徴とする湾曲管構造。
【請求項２】
前記第１の長さと前記第２の長さが同等であることを特徴とする請求項１に記載の湾曲管構造。
【請求項３】
前記第２の長さは、内視鏡の挿入部に設けられる湾曲部の全長の半分の長さであることを特徴とする請求項１に記載の湾曲管構造。
【請求項４】
前記第１の肉厚よりも前記第２の肉厚を２倍以上にしたことを特徴とする請求項１に記載の湾曲管構造。
【請求項５】
前記第１連結部は前記連結部材が挿通される第1の孔が形成され、前記第１の孔から前記第１連結部の外縁までの第１の幅が第３の長さに形成され、
前記第２連結部は前記連結部材が挿通される第２の孔が形成され、前記第２の孔から前記第２連結部の外縁までの第２の幅が第４の長さに形成され、
前記第４の長さは前記第３の長さよりも大きいことを特徴とする請求項１に記載の湾曲管構造。
【請求項６】
長手軸の方向に突設されるとともに回動自在に連結される第１連結部を有する第１湾曲駒と、
複数の前記第１湾曲駒の前記第１連結部同士がリベットにより回動自在に連結され、牽引部材の牽引弛緩によって能動的に湾曲し、前記長手軸の方向に第１の長さを有し、前記牽引部材の牽引弛緩によって能動的に湾曲する第１湾曲駒群と、
前記長手軸の方向に突設されるとともに回動自在に連結される第２連結部を有する第２湾曲駒と、
複数の前記第２湾曲駒の前記第２連結部同士が前記リベットにより回動自在に連結され、前記第１湾曲駒群の基端側に連設され、前記長手軸の方向に第２の長さを有し、前記牽引部材の牽引弛緩によって能動的に湾曲する第２湾曲駒群と、
を備え、
前記第１湾曲駒よりも硬度が２倍以上高い高硬度金属または超高度合金によって前記第２湾曲駒を形成したことを特徴とする湾曲管構造。
【請求項７】
請求項１または請求項６に記載の湾曲管構造を挿入部の湾曲部に配設したことを特徴とする内視鏡。
【手続補正書】
【提出日】平成30年11月5日(2018.11.5)
【手続補正１】
【補正対象書類名】明細書
【補正対象項目名】００１１
【補正方法】変更
【補正の内容】
【００１１】
本発明の一態様による湾曲管構造は、内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、前記第２連結部の形状を前記第１連結部の形状よりも大きく形成して前記第１湾曲駒よりも前記第２湾曲駒の剛性を高くした。
本発明の他の態様による湾曲管構造は、内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、前記第１湾曲駒よりも硬度が２倍以上高い金属または合金によって前記第２湾曲駒を形成して前記第１湾曲駒よりも前記第２湾曲駒の剛性を高くした。
【手続補正２】
【補正対象書類名】明細書
【補正対象項目名】００１２
【補正方法】変更
【補正の内容】
【００１２】
本発明の一態様による内視鏡は、内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、前記第２連結部の形状を前記第１連結部の形状よりも大きく形成して前記第１湾曲駒よりも前記第２湾曲駒の剛性を高くした。
本発明の他の態様による内視鏡は、内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、前記第１湾曲駒よりも硬度が２倍以上高い金属または合金によって前記第２湾曲駒を形成して前記第１湾曲駒よりも前記第２湾曲駒の剛性を高くした。
【手続補正３】
【補正対象書類名】特許請求の範囲
【補正対象項目名】全文
【補正方法】変更
【補正の内容】
【特許請求の範囲】
【請求項１】
内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、
前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、
前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、
前記第２連結部の形状を前記第１連結部の形状よりも大きく形成して前記第１湾曲駒よりも前記第２湾曲駒の剛性を高くしたことを特徴とする湾曲管構造。
【請求項２】
前記第１湾曲駒群は前記長手軸の方向に第１の長さを有し、前記第２湾曲駒群は前記長手軸の方向に第２の長さを有し、前記第１の長さと前記第２の長さが同等であることを特徴とする請求項１に記載の湾曲管構造。
【請求項３】
前記第２の長さは、前記第１湾曲駒群及び前記第２湾曲駒群を含む湾曲部の全長の半分の長さであることを特徴とする請求項１に記載の湾曲管構造。
【請求項４】
前記第１の肉厚よりも前記第２の肉厚を２倍以上にしたことを特徴とする請求項１に記載の湾曲管構造。
【請求項５】
前記第１連結部は前記第１の枢支部材が挿通される第1の孔が形成され、前記第１の孔から前記第１連結部の外縁までの第１の幅が第３の長さに形成され、
前記第２連結部は前記第２の枢支部材が挿通される第２の孔が形成され、前記第２の孔から前記第２連結部の外縁までの第２の幅が第４の長さに形成され、
前記第４の長さは前記第３の長さよりも大きいことを特徴とする請求項１に記載の湾曲管構造。
【請求項６】
内視鏡挿入部の長手軸に沿って設けられた第１湾曲駒群と、前記第１湾曲駒群の基端側に設けられた第２湾曲駒群とを有し、牽引部材を牽引することにより前記第１湾曲駒群および前記第２湾曲駒群を湾曲させることが可能な湾曲管構造であって、
前記第１湾曲駒群は、第１の肉厚の管状部材によって形成されるとともに前記長手軸の方向に突設される第１連結部を有する複数の第１湾曲駒が、前記第１連結部同士が重なった部位を第１の枢支部材にて回動自在に連結して形成され、
前記第２湾曲駒群は、第２の肉厚の管状部材によって形成されるとともに前記長手軸の方向に突設される第２連結部を有する複数の第２湾曲駒が、前記第２連結部同士が重なった部位を第２の枢支部材にて回動自在に連結して形成され、
前記第１湾曲駒よりも硬度が２倍以上高い金属または合金によって前記第２湾曲駒を形成して前記第１湾曲駒よりも前記第２湾曲駒の剛性を高くしたことを特徴とする湾曲管構造。
【請求項７】
請求項１または請求項６に記載の湾曲管構造を前記内視鏡挿入部の湾曲部に配設したことを特徴とする内視鏡。
【国際調査報告】
2018116557.tif 000009
2018116557.tif 000010
2018116557.tif 000011
2018116557.tif 000012